(57)【要約】【課題】サムターン位置を外部から知ることができなくすることによって防盗性を高めた扉錠ユニットを提供することを目的とする。【解決手段】扉体１の屋外側壁面１ａに配置されるシリンダ錠２により回転操作されてデッドボルト３を施解錠位置に移動させるデッドボルト駆動軸４を備え、屋内側からのデッドボルト駆動軸４への回転操作が該デッドボルト駆動軸４に連結されるケーブル連結板５に一端が連結されるケーブル６によってのみ可能な錠装置７と、前記ケーブル６の他端が連結されてデッドボルト駆動軸４に回転駆動力を伝達可能なケーブル連結板５を備えたサムターン装置８とを有し、錠装置７の屋内側操作部を正面視において錠装置７との非重合領域に配置可能に構成する。【選択図】  図１
2004263382.tif 000002
【特許請求の範囲】
【請求項１】
扉体の屋外側壁面に配置されるシリンダ錠により回転操作されてデッドボルトを施解錠位置に移動させるデッドボルト駆動軸を備え、屋内側からのデッドボルト駆動軸への回転操作が該デッドボルト駆動軸に連結されるケーブル連結板に一端が連結されるケーブルによってのみ可能な錠装置と、
前記ケーブルの他端が連結されてデッドボルト駆動軸に回転駆動力を伝達可能なケーブル連結板を備えたサムターン装置とを有し、
錠装置の屋内側操作部を正面視において錠装置との非重合領域に配置可能とした扉錠ユニット。
【請求項２】
前記錠装置は、屋外側にのみデッドボルト駆動軸への連結部を備え、屋内側にサムターンを有しない外締り用錠本体と、
扉体表面と前記外締り用錠本体との間に介装され、前記デッドボルト駆動軸に連結される中継回転軸に前記ケーブル連結板を連結した中継体とを有する請求項１記載の扉錠ユニット。
【請求項３】
前記サムターン装置は、屋内側にサムターンを備える内締り用錠本体と、
扉体表面と前記内締り用錠本体との間に介装され、前記デッドボルト駆動軸に連結される中継回転軸に前記ケーブル連結板を連結した中継体とを有する請求項１または２記載の扉錠ユニット。
【請求項４】
デッドボルト駆動軸への回転操作によりデッドボルトを施解錠操作する錠本体を積層可能で、前記錠本体のデッドボルト駆動軸に連結可能な中継回転軸をベース体に保持した中継体の複数と、
各中継体の中継回転軸に連結したケーブル連結板同士を連結して中継回転軸を同期回転させるケーブルとを有し、
前記中継体の一部のみが扉体の屋外側壁面に配置されるシリンダ錠との連結部を備える中継体ユニット。
【発明の詳細な説明】
【０００１】
【発明の属する技術分野】
本発明は、扉錠ユニットに関するものである。
【０００２】
【従来の技術】
建物の出入り口等の扉に装備される扉錠ユニットは、例えば、特許文献１に記載されるように、扉体の屋外側壁面にシリンダ錠を、屋内側壁面にサムターンを配置して構成される。そして、通常、シリンダ錠及びサムターンは、箱錠等の錠本体中のデッドボルト駆動軸をサムターン、あるいはシリンダ錠のロータ等により直接回転操作するように構成されるために、シリンダ錠とサムターンとは扉体を挟んで正面視において重合する位置に配置されることが多い。
【０００３】
【特許文献１】
特開２００１−１４６８６５号公報
【０００４】
【発明が解決しようとする課題】
しかし、シリンダ錠とサムターンを重合位置に配置すると、屋外から存在位置が確認可能なシリンダ錠の位置から屋内側のサムターンの位置を容易に知ることが可能であるために、例えば、扉体にドリルで孔を明け、ドリル孔から挿入した工具等でサムターンを直接操作することが可能になるという問題がある。
【０００５】
本発明は、以上の欠点を解消すべくなされたものであって、サムターン位置を外部から知ることができなくすることによって防盗性を高めた扉錠ユニットを提供することを目的とする。
【０００６】
また、本発明の他の目的は、これに使用可能な中継体ユニットの提供にある。
【０００７】
【課題を解決するための手段】
本発明によれば上記目的は、
扉体１の屋外側壁面１ａに配置されるシリンダ錠２により回転操作されてデッドボルト３を施解錠位置に移動させるデッドボルト駆動軸４を備え、屋内側からのデッドボルト駆動軸４への回転操作が該デッドボルト駆動軸４に連結されるケーブル連結板５に一端が連結されるケーブル６によってのみ可能な錠装置７と、前記ケーブル６の他端が連結されてデッドボルト駆動軸４に回転駆動力を伝達可能なケーブル連結板５を備えたサムターン装置８とを有し、
錠装置７の屋内側操作部を正面視において錠装置７との非重合領域に配置可能とした扉錠ユニットを提供することにより達成される。
【０００８】
扉錠ユニットＡはデッドボルト駆動軸４を備え、該デッドボルト駆動軸４を屋外側に配置されるシリンダ錠２によって回転操作してデッドボルト３を施解錠位置に駆動できる。このデッドボルト駆動軸４にはケーブル連結板５が連結されており、屋内側からのデッドボルト駆動軸４への操作は、一端がケーブル連結板５に連結され、他端がサムターン装置８に連結されるケーブル６によってのみ可能とされる。
【０００９】
錠装置７の屋内側からの操作をケーブル６を介した操作により限定し、かつ、サムターン装置８をケーブル６により錠装置７を遠隔操作可能とすることによって、サムターン装置８を扉体１の屋内側壁面の任意の位置に配置することが可能となる。この結果、シリンダ錠２の位置からサムターン装置８の位置が知られることがなくなり、サムターン９を直接操作することが不可能になる。
【００１０】
錠装置７は、屋外側にのみデッドボルト駆動軸４への連結部を備え、屋内側にサムターン９を有しない外締り用錠本体１０Ａと、
扉体１表面と前記外締り用錠本体１０Ａとの間に介装され、前記デッドボルト駆動軸４に連結される中継回転軸１１に前記ケーブル連結板５を連結した中継体１２とから構成することができる。
【００１１】
中継回転軸１１とケーブル連結板５とを備えた中継体１２を錠本体１０と扉体１表面との間に介装する構成を取ることにより、扉体１の屋内側壁面１ｂに固定する補助錠として一般に市販されている外締り錠、あるいは内締り錠を錠本体１０としてそのまま利用することができるために、汎用性が向上する。
【００１２】
さらに、サムターン装置８は、屋内側にサムターン９を備える内締り用錠本体１０Ｂと、
扉体１表面と前記内締り用錠本体１０Ｂとの間に介装され、前記デッドボルト駆動軸４に連結される中継回転軸１１に前記ケーブル連結板５を連結した中継体１２とを有して構成することができる。
【００１３】
屋外側に連結されない内締り用錠本体１０Ｂをサムターン装置８として使用することにより、特別にサムターン装置８を用意する必要がなくなる上に、シリンダ錠２の位置からサムターン装置８側のデッドボルト３の位置を知ることができないために、例えば、デッドボルト３対応位置にバール等を挟み込んで扉体１をこじ開けることが不可能となるために、防犯性能をより向上する。
【００１４】
以上の扉錠ユニットＡは、
デッドボルト駆動軸４への回転操作によりデッドボルト３を施解錠操作する錠本体１０を積層可能で、前記錠本体１０のデッドボルト駆動軸４に連結可能な中継回転軸１１をベース体１３に保持した中継体１２の複数と、
各中継体１２の中継回転軸１１に連結したケーブル連結板５同士を連結して中継回転軸１１を同期回転させるケーブル６とを有し、
前記中継体１２の一部のみが扉体１の屋外側壁面１ａに配置されるシリンダ錠２との連結部を備える中継体ユニットＢを利用することにより簡単に構成することができる。
【００１５】
中継体１２は錠本体１０を積層、固定した際にデッドボルト駆動軸４に連結する中継回転軸１１を備えており、中継回転軸１１同士がケーブル６により同期回転駆動される。この結果、外締り、あるいは内締り錠等を積層するだけで、これら錠本体１０を同期駆動することが可能になり、上述したサムターン９の直接操作、あるいはバール等による扉体１のこじ開けを簡単に防止できる。
【００１６】
【発明の実施の形態】
図１に扉錠ユニットＡを補助錠として使用する場合の本発明の実施の形態を示す。この実施の形態において、扉体１内部には、主錠１４としての箱錠１４ａが収容される。箱錠１４ａは、扉枠側に進退するデッドボルト１４ｂと、ラッチボルト１４ｃとを有する。ラッチボルト１４ｃは、扉体１表裏に装着されるハンドル１５により操作可能であり、デッドボルト３は、扉体１の屋外側壁面１ａに配置されるシリンダ錠１４ｄと、屋内側のサムターン１４ｅにより操作されて扉体１を施解錠する。
【００１７】
扉錠ユニットＡは、上記主錠１４への不正操作によって施解錠操作がされないように、主錠１４とは独立に駆動される補助錠として構成されており、図３に示すように、２個の中継体１２、１２を有する中継体ユニットＢと、各中継体１２上に積層、固定される錠本体１０とからなる。
【００１８】
錠本体１０は、図１において上方に示されるように、屋内側にサムターン９を有する内締り用錠本体１０Ｂと、図１において下方に示されるように、屋内側にサムターン９を有しない外締り用錠本体１０Ａの２種類が使用され、内締り用錠本体１０Ｂと、これに対応する中継体１２によりサムターン装置８が、外締り用錠本体１０Ａと中継体１２により錠装置７が各々構成される。
【００１９】
これら錠本体１０は、図２に示すように、錠ケース１０ａ内にデッドボルト３と、先端にデッドボルト駆動レバー１６が固定されたデッドボルト駆動軸４を配置して形成される。デッドボルト駆動軸４は錠ケース１０ａの厚み方向、すなわち、扉体１の板厚方向に直交する軸周りに回転自在であり、デッドボルト駆動レバー１６の先端に立設した駆動ピン１６ａがデッドボルト３の操作開口３ａに挿通する。
【００２０】
デッドボルト３は、上記デッドボルト駆動軸４の回転軸に直交する平面内で扉体１の開閉側端縁に直交する方向に移動自在であり、上記デッドボルト駆動軸４を回転操作することによって、図１、２（ｂ）、３に示すように、扉体１の開閉側端縁に突出してストライク１７に係止する施錠位置と、図２（ｃ）に示すように、反対方向に突出する解錠位置との間を駆動される。
【００２１】
また、錠ケース１０ａと駆動ピン１６ａとの間には、トーションスプリングからなるクリックスプリング１８が介装されており、デッドボルト３を施錠位置あるいは解錠位置のいずれかに節度停止させる。
【００２２】
さらに、図２（ａ）に示すように、内締り用錠本体１０Ｂにのみ設けられるサムターン９は、上記デッドボルト駆動軸４の回転中心と同軸周りに回転自在であり、サムターン９に連結されるサムターンレバー９ａが駆動ピン１６ａを介してデッドボルト駆動軸４に連結、固定される。
【００２３】
この実施の形態において、錠本体１０には面付け補助錠として一般に市販される内締り専用錠と、外締り専用錠とが流用される。また、サムターン９への回転操作力を増加させることができるように、サムターン９には、ノブ部材１９を固定することができる（図２（ｄ）参照）。
【００２４】
中継体１２は、図３、４に示すように、上記錠本体１０の錠ケース１０ａを積層状態で位置決めして該錠本体１０とともに扉体１に共締めされるベース体１３に中継回転軸１１を連結して形成される。中継回転軸１１は、ベース体１３に錠本体１０が積層、固定された際に錠本体１０のデッドボルト駆動軸４と同軸周りに回転自在であり、中継回転軸１１の先端部には、積層状態においてデッドボルト駆動軸４と回転方向に連結可能なように、嵌合溝１１ａが形成される。
【００２５】
また、外締り用錠本体１０Ａが積層される中継体１２の中継回転軸１１は、図４（ｂ）に示すように、シリンダ錠２のプラグ（図示せず）を連結するためのシリンダ連結溝１１ｂが形成され、さらに、この中継体１２のベース体１３には、シリンダ錠２の固定部１３ａが形成される。
【００２６】
上記中継体１２間には、適宜の可撓性を有するアウターケーブル６ａ内にワイヤ等からなるインナーケーブル６ｂを摺動自在に挿入したケーブル６が配設される。このケーブル６は、アウターケーブル６ａの両端部が、ベース体１３のニップル嵌合切欠１３ｂに嵌合固定されるニップル２０に挿入されるとともに、インナーケーブル６ｂの両端が中継回転軸１１に固定されたケーブル連結板５に連結され、一方の中継回転軸１１に与えられた回転力をアウターケーブル６ａによって摺動方向が規制されるインナーケーブル６ｂの往復移動によって他方の中継回転軸１１に伝達する。
【００２７】
したがってこの実施の形態において、屋外側からは、シリンダ錠２を操作することにより、屋内側からは、サムターン９を操作することにより、２個の中継体１２のデッドボルト３を施解錠いずれの方向にも移動させることができる。また、サムターン９が配置される位置は、シリンダ錠２の位置に関係しないために、屋外側からシリンダ錠２の位置をもとにしてサムターン９の位置を知ることはできない。このため、サムターン９の近傍に孔を明けてサムターン９を直接操作すること不可能となる。さらに、サムターン装置８側にもデッドボルト３が設けられているために、シリンダ錠２の位置を手掛かりにしてバール等を挿入して扉体１をこじ開けようとしても、サムターン装置８側のデッドボルト３が扉開放を阻止するために、防犯性能が向上する。
【００２８】
なお、以上においては、操作力の伝達が効率よく行われるように、ケーブル６は２本使用されているが、アウターケーブル６ａがインナーケーブル６ｂの座屈変形等を防止するために十分な剛性を有している場合には、１本のケーブル６により操作力の伝達を行うことができる。
【００２９】
また、以上においては、中継体１２同士を直接ケーブル６で連結する場合を示したが、図５に示すように、中継体１２の間にケーブル調整器２１を介装することもできる。ケーブル調整器２１は、連結用ニップルを介して一方の中継体１２に連結される調整ケース２１ａ内にワイヤ調整部２１ｂを収容して形成される。ワイヤ調整部２１ｂは、２本のインナーケーブル６ｂの各々に対応して装着され、インナーケーブル６ｂの長手方向に移動自在なスライダ２１ｃと、スライダ２１ｃ上で相対位置変更可能な一対のラック２１ｄと、ラック２１ｄに噛合するピニオン２１ｅとを有する。各インナーケーブル６ｂは調整ケース２１ａ内で切断されて切断端部がラック２１ｄに連結される。
【００３０】
したがってこの実施の形態において、使用中に温度変化等によってインナーケーブル６ｂが伸縮した場合には、ピニオン２１ｅを回転させてインナーケーブル６ｂの切断端部間の間隔を調整し、伸縮量を吸収することができる。
【００３１】
なお、図５（ａ）において２１ｆはピニオン２１ｅの逆転を防止するためにピニオン２１ｅに係止するストッパピンを示す。
【００３２】
さらに、図１において中継ユニットは２個の中継体１２を連結した場合を示したが、図６に示すように、３個、あるいはそれ以上の中継体１２を直列に連結することができる。
【００３３】
【発明の効果】
以上の説明から明らかなように、本発明によれば、サムターン位置を外部から知ることができないために、サムターンへの不正アクセスを確実に防止することができる。
【図面の簡単な説明】
【図１】本発明を示す図で、（ａ）は扉体の断面図、（ｂ）は扉体を屋内側壁面から見た図である。
【図２】錠本体を示す図で、（ａ）は（ｂ）の２Ａ−２Ａ線断面図、（ｂ）は（ａ）の２Ｂ−２Ｂ線断面図、（ｃ）はデッドボルトが解錠位置に移動した状態を示す図、（ｄ）はサムターン装置を示す斜視図である。
【図３】中継体ユニットを示す図で、（ａ）はケーブル連結板を（ｂ）の３Ａ方向から見た図、（ｂ）は側面図である。
【図４】図３の断面図で、（ａ）は図３（ａ）の４Ａ−４Ａ線断面図、（ｂ）は図３（ａ）の４Ｂ−４Ｂ線断面図である。
【図５】ケーブル調整器を示す図で、（ａ）はワイヤ調整部を示す図、（ｂ）は側面図である。
【図６】図１の変形例を示す図で、（ａ）は図３（ａ）に対応する図、（ｂ）は図３（ｂ）に対応する図である。
【符号の説明】
１        扉体
１ａ      屋外側壁面
２        シリンダ錠
３        デッドボルト
４        デッドボルト駆動軸
５        ケーブル連結板
６        ケーブル
７        錠装置
８        サムターン装置
９        サムターン
１０      錠本体
１０Ａ    外締り用錠本体
１０Ｂ    内締り用錠本体
１１      中継回転軸
１２      中継体
１３      ベース体
Ａ        扉錠ユニット
Ｂ        中継体ユニット
【図１】
2004263382.tif 000003
【図２】
2004263382.tif 000004
【図３】
2004263382.tif 000005
【図４】
2004263382.tif 000006
【図５】
2004263382.tif 000007
【図６】
2004263382.tif 000008